(57)【特許請求の範囲】
【請求項１】
内環と外環及びこれらを結ぶ底面とから上方に開口する環状凹所を備えた二重構造の筒体が構成されるとともに、噴出弁が具備された充填容器に着脱自在に装着されるジョイント部材と、
内壁環、外壁環及び剤の供給通路を支持した天板とから、下方に開口する二重構造の筒体が構成されるとともに、前記ジョイント部材に着脱自在かつ軸方向に摺動自在に装着されるスパウト部材とを有し、
前記ジョイント部材の外環には、軸方向の長孔が形成され、前記スパウト部材の外壁環には、突出片が形成されていることを特徴とする剤塗布装置。
【請求項２】
前記ジョイント部材の外環内周面には、軸方向に案内板が形成され、前記スパウト部材の外壁環の内周面には、ガイド溝が形成されていることを特徴とする請求項１に記載の剤塗布装置。
【請求項３】
前記ジョイント部材の外環は、前記スパウト部材の外壁環よりも大径であり、前記ジョイント部材の内環は、前記スパウト部材の内壁環よりも小径であることを特徴とする請求項１または２に記載の剤塗布装置。
【請求項４】
前記スパウト部材の前記天板は、略ドーム状に形成されているとともに、その天板の一部から側方に向って棒状のノズルが延出されていることを特徴とする請求項１〜３のいずれかに記載の剤塗布装置。
【請求項５】
前記スパウト部材の前記天板に形成された前記供給通路には、剤の吐出口を備えた櫛体が取付けられていることを特徴とする請求項１〜３のいずれかに記載の剤塗布装置。
【請求項６】
噴出弁が具備された圧縮容器に装着される剤塗布装置であって、
内環と外環及びこれらを結ぶテーパ状の底面とから上方に開口する環状凹所を備えた二重構造の筒体が構成されるとともに、前記外環には軸方向の長孔が形成され、前記内環を前記充填容器の頭部に圧入することによりこの充填容器に着脱自在に装着されるジョイン
ト部材と、
剤の吐出口を備えた櫛体と、
前記櫛体が着脱自在に取付けられ、軸方向に剤の通路が形成された基台と、
前記ジョイント部材の外環よりも小径で外周面に突出片を備えた外壁環と前記ジョイント部材の内環よりも大径の内壁環と前記基台を着脱自在に取り付けるための取付け部を備えた天板とから下方に開口する二重構造の筒体が構成されるとともに、この二重構造の筒体を前記ジョイント部材の環状凹所内に収容したときに、この環状凹所内で軸方向に摺動可能に装着されるスパウト部材とを有し、
前記ジョイント部材を予め前記充填容器に装着するとともに、このジョイント部材に、前記櫛体、前記基台および前記スパウト部材を一体に取付けてなる櫛部組立体を前記ジョイント部材の前記環状凹所内に収容したときに、前記スパウト部材の突出片が前記ジョイント部材の長孔内で移動可能に収容され、この突出片が前記長孔に案内されて前記ジョイント部材の底面側に移動することにより前記噴出弁が開弁されて剤が噴出されるようにしたことを特徴とする剤塗布装置。
【発明の詳細な説明】
【０００１】
【発明の属する技術分野】
本発明は剤塗布装置に関し、さらに詳しくは、充填容器に装着されて例えば泡状化粧料を直接、頭髪に噴出し分散させ得るようにした剤塗布装置に関する。
【０００２】
【従来の技術】
例えば、泡状化粧料を頭髪に塗布するにあたり、これらを手につけることなく直接、頭髪に塗布することを可能にしたエアゾール製品が広く市販されている。
【０００３】
このようなエアゾール製品では、剤を噴出させるノズルの上部に先端を櫛状に形成した塗布具を着脱自在に取付け、このノズルを押し下げることにより櫛体に設けた吐出口から剤が噴出されている（実開平５−５１７８６号公報等参照）。
【０００４】
このような充填容器における剤塗布装置では、多数の櫛歯に剤の突出口、剤の供給通路等を形成しなければならないことから、加工の容易性及び剤塗布装置の手入れ容易性などを考慮して樹脂により形成されるのが一般的である。
【０００５】
【発明が解決しようとする課題】
ところで、このような充填容器における従来の剤塗布装置では、ノズルを押し下げたときに剤が不用意に漏れ出ないようにするため、適宜な箇所にＯリング等のシール部材を装着する必要があり、しかも、ノズルを押圧するためのボタンなど、特定の機能を行わせる種々の部品が必要である結果、部品点数増加を来たすという問題があった。
【０００６】
また、従来の剤塗布装置では、塗布具を下方に押圧操作した場合に、上下方向に延びる軸部分が前後あるいは左右方向に傾斜してしまい、使用勝手が悪くなるという問題があった。
【０００７】
加えて、従来の剤塗布装置は、繰り返し分解及び組立容易性を考慮して組み立てられてはいないことから、一旦分解してしまうと、再度の組み立てが困難である。したがって、容器から吐出されたものの櫛歯等に付着して使用されなかった残りの剤を洗浄する場合には、分解せずに製品全体を水洗いしなければならず、作業性に欠けるばかりか、剤が充分に洗浄されないという問題があった。
【０００８】
本発明は上記実情に鑑み、剤の不用意な漏出しを防止しながら部品点数の削減にも寄与し、剤を噴出させたときに軸部が傾斜したりすることがなく、分解及び組立が容易で、洗浄性を向上させた剤塗布装置を提供することを目的としている。
【０００９】
また、本発明の他の目的は、スパウト部材をジョイント部材に装着した際に、スパウト部材がジョイント部材から抜けてしまうことを防止した剤塗布装置を提供することにある。
【００１０】
さらに、本発明の他の目的は、スパウト部材をジョイント部材に装着した際に、スパウト部材の円周方向への回転を防止するようにした剤塗布装置を提供することにある。
【００１１】
また、本発明のさらに他の目的は、スパウト部材のジョイント部材に対する軸方向への摺動をスムースに行うことのできる剤塗布装置を提供することにある。さらに、本発明の他の目的は、剤の不用意な漏れ出しを防止しながら部品点数の削減にも寄与し、剤を噴出させたときに軸部が傾斜したりすることがなく、さらに分解組立が簡単で洗浄性を向上させることのできる充填容器における剤塗布装置を提供することを目的としている。
【００１２】
【課題を解決するための手段】
上記目的を達成するための本発明に係る剤塗布装置は、
内環と外環及びこれらを結ぶ底面とから上方に開口する環状凹所を備えた二重構造の筒体が構成されるとともに、噴出弁が具備された充填容器に着脱自在に装着されるジョイント部材と、
内壁環、外壁環及び剤の供給通路を支持した天板とから、下方に開口する二重構造の筒体が構成されるとともに、前記ジョイント部材に着脱自在かつ軸方向に摺動自在に装着されるスパウト部材とを有し、
前記ジョイント部材の外環には、軸方向の長孔が形成され、前記スパウト部材の外壁環には、突出片が形成されていることを特徴としている。
【００１３】
ここで、前記ジョイント部材の外環内周面には、軸方向に案内板が形成され、前記スパウト部材の外壁環の内周面には、ガイド溝が形成されていることが好ましい。
【００１４】
さらに、前記ジョイント部材の外環は、前記スパウト部材の外壁環よりも大径であり、前記ジョイント部材の内環は、前記スパウト部材の内壁環よりも小径であることが好ましい。
また、前記スパウト部材の前記天板は、略ドーム状に形成されているとともに、その天板の一部から側方に向って棒状のノズルが延出されていることが好ましい。
さらに、前記スパウト部材の前記天板に形成された前記供給通路には、剤の吐出口を備えた櫛体が取付けられていても良い。
【００１５】
また、本発明に係る剤塗布装置は、
噴出弁が具備された充填容器に装着される剤塗布装置であって、
内環と外環及びこれらを結ぶテーパ状の底面とから上方に開口する環状凹所を備えた二重構造の筒体が構成されるとともに、前記外環には軸方向の長孔が形成され、前記内環を前記充填容器の頭部に圧入することによりこの充填容器に着脱自在に装着されるジョイント部材と、
剤の吐出口を備えた櫛体と、
前記櫛体が着脱自在に取付けられ、軸方向に剤の通路が形成された基台と、
前記ジョイント部材の外環よりも小径で外周面に突出片を備えた外壁環と前記ジョイント部材の内環よりも大径の内壁環と前記基台を着脱自在に取り付けるための取付け部を備えた天板とから下方に開口する二重構造の筒体が構成されるとともに、この二重構造の筒体を前記ジョイント部材の環状凹所内に収容したときに、この環状凹所内で軸方向に摺動可能に装着されるスパウト部材とを有し、
前記ジョイント部材を予め前記充填容器に装着するとともに、このジョイント部材に、前記櫛体、前記基台および前記スパウト部材を一体に取付けてなる櫛部組立体を前記ジョイント部材の前記環状凹所内に収容したときに、前記スパウト部材の突出片が前記ジョイント部材の長孔内で移動可能に収容され、この突出片が前記長孔に案内されて前記ジョイント部材の底面側に移動することにより前記噴出弁が開弁されて剤が噴出されるようにしたことを特徴としている。
【００１６】
〔作用〕
上記第１の構成による本発明によれば、スパウト部材がジョイント部材に軸方向に摺動自在に装着され、しかも、このスパウト部材の摺動運動により噴出弁が開閉されるので、剤を噴出させたときに軸部が傾斜したりすることはない。
【００１７】
また、スパウト部材はジョイント部材に着脱自在に装着されているので、分解組立が容易で洗浄性が向上する。
また、上記第１の構成による本発明によれば、スパウト部材をジョイント部材に装着した際に、突出片が長孔内に移動可能に収容され長孔の端部でそれ以上の移動が規制されるので、スパウト部材のジョイント部材からの抜けを防止することができる。
【００１８】
また、上記第２の構成による本発明によれば、スパウト部材をジョイント部材に装着した際に、スパウト部材とジョイント部材との相対回転を防止することができる。
【００１９】
また、上記第３の構成による本発明によれば、ジョイント部材の環状凹所内に、スパウト部材を収容することができ、剤の漏出しを効果的に防止することができる。
【００２０】
また、上記第６の構成による本発明によれば、櫛体、基台およびスパウト部材がそれぞれ別体に形成され、これらが分解可能に組み立てられているので、洗浄する場合の作業性に優れ、洗浄性も向上する。さらに、一体的に組み立てられた櫛部組立体をジョイント部材の環状凹所内に摺動可能に装着すると、ジョイント部材の内環とスパウト部材の天板とからノズルの周囲に外部から独立された室が構成されるので、シール部材が不要であり、漏出しの心配がない。さらに、この櫛部組立体はジョイント部材の内壁および外壁に案内されつつ軸方向に摺動するので、使用時にその全体が不用意に傾斜することがなく、安定した姿勢を維持することができる。
【００２１】
【実施例】
以下、図面を参照しながら本発明の実施例について説明する。
図１は本発明に係る剤塗布装置が装着された充填容器として、例えばエアゾール容器を示したもので、図２はその断面を示したものである。
【００２２】
エアゾール容器１内には、整髪料等の剤が圧縮充填されており、この剤は、剤塗布装置２を介して外方に噴射される。
剤塗布装置２は櫛体３と、この櫛体３を取り付ける基台４と、この基台４に取付けられるスパウト部材５と、スパウト部材５を内嵌しこのスパウト部材５を上下方向に摺動させる筒体として機能するジョイント部材６とから構成されている。
【００２３】
エアゾール容器１の頭部１ａは円筒状に形成されているが、その先端中央には下方に押し下げられたときに内蔵された噴出弁を開弁させる噴出ノズル７が突設されている。
【００２４】
上記櫛体３は、図３に示したように、多数の歯３ａを一体に配列し、その基端で連結したもので、その両側に剤を吐出させる吐出口８とこれに連通する通路９とが形成されるとともに、基端部に基台４に差し込み装着するための装着ピン１０、１０…が形成されている。
【００２５】
上記基台４は、両端に対峙して設けられた一対の面板１１、１１とこれを連設する軸部分１２とからなり、軸部分１２内には長手方向に走る通路１３が形成され、さらに櫛体３との連結部となるピン差込み口１４が形成されている。また、スパウト部材５に連結するための基端部１２ａには、スパウト部材５との連結を強固にするために、環状の膨出部１５が形成されるとともに、スパウト部材５との位置決めを図りつつ回転不能状態で装着するために、軸方向に縦突条１６が形成されている。
【００２６】
このような基台４が連結される上記スパウト部材５は、図４に示したように、外観上は上部に基台４を差し込むための取付け部１７を突設した略円錐台形状を呈しているが、より実際には図２および図５に示したように、外壁環２０と内壁環２１とからなる二重構造の筒体と、これらを一体的に連結する天板２２とから構成されており、この天板２２は、剤の漏洩を防止する上部カバーともなっている。
【００２７】
また、この天板２２には、基台４内の通路１３に連通する剤の供給通路２２ａが形成されている。
スパウト部材５の上部に設けた漏斗状の取付け部１７の内周面には、図２に示されているように縦溝１８が形成され、この縦溝１８に上記基台４の縦突条１６が挿入固定される。これにより、基台４とスパウト部材５との位置決めが行われるとともに、相対回転が防止される。さらに、天板２２の肩部には、指押し当て部２３が一段高い位置に突出形成されている。例えば、この指押し当て部２３に、使用者が指を当ててスパウト部材５を下方に押し込むと、エアゾール容器１の噴出ノズル７が下方に押し下げられ、内圧によって上方に剤が放出される。
【００２８】
一方、スパウト部材５の外壁面２０には、２つの突出片２４、２４が対向するように設けられており、その側方には図５に示したようにスリット２５、２５が形成されている。このようなスリット２５、２５を設けることにより、突出片２４を具備した壁面部分は、周囲から独立した壁面として機能する。すなわち、突出片２４を径方向に押圧すると、その壁面部分はスリットの作用により、内方に凹み易くなるように形成されている。
【００２９】
さらに、これら突出片２４、２４を設けた位置と直交する位置に、外壁環２０と内壁環２１とを結ぶ壁体でガイド溝２６、２６が形成されている。なお、このガイド溝２６は、外壁環２０および内壁環２１の両方に接していなくても、いずれか一方に支持されていれば良い。このガイド溝２６、２６には、後述するジョイント部材６の案内板３３、３３が挿入される。このようなガイド溝２６、２６に案内板３３、３３が挿入されることにより、スパウト部材５とジョイント部材６との相対回転が防止される。
【００３０】
一方、スパウト部材５の天板２２の内面側には、エアゾール容器１に装着したときに噴出ノズル７の外方を覆うように配置されるとともに、櫛体３に剤を供給する際の連絡口となる小円筒部２７が下方に向かって突設されており、この小円筒部２７内に噴出ノズル７の先端部が挿入される。この小円筒部２７には、取付け部１７内の通路に連通する孔２８が形成されている。
【００３１】
上記ジョイント部材６は、図６に示したように、略円筒状に形成されているが、より実際には内環２９と外環３０とからなる二重構造の筒体であり、これらの間に上方に開口する環状凹所３２が形成されている。さらに、内環２９と外環３０との間は、図２に示したように、嵌着の便宜からテーパ状の底面３１で一体化されているが、この底面３１は、エアゾール容器１の上部に密に当接する形状に形成されている。
【００３２】
外環３０の内周面には、上記スパウト部材５のガイド溝２６に嵌合する案内板３３、３３が突設されている。また外環３０には、スパウト部材５の突出片２４、２４を上下動可能に収容する長孔３４、３４が形成されている。
【００３３】
内環２９には、開口端から若干下がった位置に、中心へ向けて水平方向に延びる規制板３５が複数個延出されており、それらが出会う中央には孔３６が形成されている。また、内環２９の内周面には縦方向に向かって多数のリブ３７が形成されている。
【００３４】
なお、上記ジョイント部材６の環状凹所３２は、スパウト部材５が摺動自在に着脱できる大きさに形成されている。すなわち、スパウト部材５の外壁環２０はジョイント部材６の外環３０よりも小径であり、スパウト部材５の内壁環２１は、ジョイント部材６の内環２９より大径である。これらは環状凹所３２内に摺接される大きさに形成されている。
【００３５】
本発明に係る剤塗布装置の各構成要素は上記のように形成されているが、以下これらの組付けについて説明する。
先ず、櫛体３が基台４に着脱自在に装着される。その場合、図３に示したように、櫛体３の装着ピン１０側を基台４の側方に配置し、この櫛体３を一対の面板１１、１１内に挿入しながら装着ピン１０を差込み口１４に挿入すれば良く、これにより両者はピン結合される。
【００３６】
一方、基台４は、スパウト部材５に着脱自在に装着される。その場合、基台４の基端部１２ａに形成された縦突条１６をスパウト部材５の取付け部１７内の縦溝１８に嵌合させ下方に押し込めば、基台４とスパウト部材５との相対回転が防止されて装着される。なお、基台４の基端部１２ａをスパウト部材５の取付け部１７内に挿入すると、環状の膨出部１５が取付け部１７の内壁面に係止されるので、嵌合がより強固になる。
【００３７】
ここで、櫛体３と基台４とスパウト部材５とを各々着脱自在に組立てると、これら３部材から櫛部組立体４０が構成される。なお、櫛部組立体４０を構成する３部材の組立順序は、上記の順序に何ら限定されず、例えば基台４にスパウト部材５を組付けた後に櫛体３を基台４に組付けても良い。
【００３８】
このような櫛部組立体４０は、適宜な成型材料から成型することができるが、同一材料から成型することが好ましい。
一方、エアゾール容器１には、工場出荷時から予め、ジョイント部材６が着脱自在に装着されている。このジョイント部材６をエアゾール容器１に装着するには、エアゾール容器１の噴出ノズル７にジョイント部材６の底面を対向させて配置し、その内環２９をエアゾール容器１の頭部１ａに圧嵌すれば良い。すると、ジョイント部材６のテーパ状の底面３１がエアゾール容器１の上部に密に当接し、噴出ノズル７の周囲が規制板３５で包囲される。これにより、ジョイント部材６がエアゾール容器１に一体的に組付けられる。
【００３９】
なお、このようなエアゾール製品の出荷時には、内部の剤が衝撃等により誤って吐出することがないようにする目的で、ジョイント部材６の上面が別体で形成された適宜な蓋体で保護される。そして、この蓋体は、購入した使用者が使用する際に取外し、代わりに上記の櫛部組立体４０を取付ける。
【００４０】
上記櫛部組立体４０をエアゾール容器１に予め設置されたジョイント部材６に装着するには、以下のように行えば良い。すなわち、櫛部組立体４０のスパウト側をエアゾール容器１の噴出ノズル７側に対向させて配置し、スパウト部材５の外周に形成したガイド溝２６、２６を、ジョイント部材６の案内板３３、３３に合致させ、また突出片２４を長孔３４の延長上に配置して両者の位置決めを行い、その状態から突出片２４、２４をジョイント部材６内に押し込めば良い。すると、ガイド溝２６に案内されて櫛部組立体４０がジョイント部材６内に案内される。こうして突出片２４がジョイント部材６内に押し込まれると、この突出片２４が長孔３４に緩やかに嵌まり合い、図２に示したように、この長孔３４内に上下動可能に収容されることになる。
【００４１】
このように突出片２４が長孔３４内に収容されることにより、スパウト部材５のジョイント部材６からの抜けが防止される。また、案内板３３、３３がガイド溝２６、２６内に収容されることにより、スパウト部材５とジョイント部材６との相対回転が防止される。したがって、使用操作時に櫛部組立体４０が回転して操作性が損なわれることはない。
【００４２】
このような櫛部組立体４０の装着時において、噴出ノズル７の周囲には、外部への剤の洩れ出しを防止する室５０が画成されることになる。
したがって、例え使用操作時等に剤が周囲に垂れることがあっても、その剤は室５０内に留まり、外方に漏れ出ることはない。
【００４３】
上記した櫛部組立体４０の装着状態すなわち使用前の状態では、図７（ａ）に示したように、突出片２４が長孔３４の上方に位置する。また、噴出ノズル７には、スパウト部材５の小円筒部２７が軽く当接した状態になっている。通常はこの状態で洗面台等の適宜な場所に保管される。
【００４４】
このような剤塗布装置が取付けられたエアゾール容器１を使用者が使おうとする場合には、指押し当て部２３等を親指等で軽く押し、矢印方向に押圧すれば良い。すると、櫛部組立体４０がジョイント部材６の内方に若干移動し、突出片２４が図７（ｂ）に示したように、長孔３４の下方位置に移動し、これと同期して噴出ノズル７に軽く押し当てられていた小円筒部２７がエアゾール容器１に接近する方向に移動して小円筒部２７の内壁が噴出ノズル７を押し下げるので、内蔵された図示しない噴出弁が開弁され、容器内の剤が噴出ノズル７から吐出されることになる。
【００４５】
このようなエアゾール容器１の使用操作時において、スパウト部材５を構成している二重構造の筒体は、ジョイント部材６を構成している二重構造の筒体に、常に軸方向に案内されながら摺動するので、若干力が偏って作用したとしても櫛部組立体４０が傾斜したりすることはない。
【００４６】
なお、噴出ノズル７から吐出された剤は、Ｌ字形の通路を通って基台４内の通路１３に送出され、さらに、櫛体３の通路９に送り込まれ、最終的に吐出口８から外方に放出されることになる。
【００４７】
また、指押し当て部２３等に矢印方向の力を加えている間、継続して剤は吐出されているが、その力を解除すれば櫛部組立体４０は原位置に復帰し、剤の吐出が停止する。このとき、突出片２４も原位置に復帰する。
【００４８】
一方、櫛体３等に付着した剤を洗浄しようとする場合には、櫛部組立体４０をエアゾール容器１から取り外して櫛部組立体４０を水等で洗浄すれば良い。その場合、先ず、スパウト部材５の突出片２４、２４を軽く内方に押し、長孔３４との係合を解除し、この櫛部組立体４０をエアゾール容器１から離反する方向に引っ張り出せれば良い。また、櫛部組立体４０を、さらに櫛体３、基台４およびスパウト部材５等の個々の部品に分解することができるので、より効率的にかつ高度に洗浄することができる。したがって、目詰まりが生じても簡単に除去することができる。また、再度の組み立ても容易である。
【００４９】
なお、本実施例による剤塗布装置は、整髪用の泡状化粧料に限定されず、パーマネント液あるいは毛染液等の剤塗布装置としても有効に用いることができる。
また、異種類の容器に兼用することができる。
【００５０】
さらに、ジョイント部材６を２つ用意し、１つのジョイント部材６をエアゾール容器１に予め装着し、その上部に別体で形成した蓋体を着脱自在に装着するとともに、他のジョイント部材６に櫛部組立体４０を装着すれば、誤って外力が加えられた際の不時の噴出を防止できることに加えて出荷の際の荷姿も良く、梱包が容易になる。また、出荷させた後においては、使用者による非使用の管理が容易になる。
【００５１】
また、上記実施例では、噴出ノズル７をスパウト部材５に装着させるにあたり、先ず小円筒部２７内にアンダーカットを設け、このアンダーカット内にノズルの先端を配置するようにしているが、これに代え、噴出ノズル７を小円筒部２７にネジにより連結しても良い。また、スパウト部材５とジョイント部材６との連結は、バイヨネット嵌合など他の連結手段で連結しても良い。
【００５２】
さらに、上記実施例では、スパウト部材５に突出片２４を設け、ジョイント部材６に長孔３４を設け、これら突出片２４と長孔３４との係合でスパウト部材５の抜けを防止するようにしているが、これに代え、例えば、ジョイント部材６の外環３０の内周面に縦方向に延びる案内溝を設け、一方、スパウト部材５にこれに係止する爪を設け、これらの係合でスパウト部材５の抜けを防止しても良い。
【００５３】
また、上記実施例では、櫛体３と基台４とスパウト部材５との三部材から櫛部組立体４０を構成し、この櫛部組立体４０をジョイント部材６に着脱自在に装着する剤塗布装置について説明したが、基台４が櫛体３と一体に形成された剤塗布装置にも本発明を適用することができる。
【００５４】
図８は、このような剤塗布装置を示したもので、図２と同一要素については同一符合を付し、詳細な説明は省略する。
この剤塗布装置では、前述した実施例の基台４に相当するものが存在せず、スパウト部材５とノズル５３とが予め一体化して形成されている。
【００５５】
また、スパウト部材５０の天板５１は指押し当て部５２を凹所として形成した他は略球形に形成され、側方に管状に延びるノズル５３が延出されている。
ノズル５３には、大径の突出口５４が１つ具備されており、内部に形成された通路５５は、下方に延出された小円筒部５６内の供給通路５７に連通されている。
【００５６】
このような剤塗布装置でも上記実施例と同様に、スパウト部材５０がジョイント部材６に案内されて軸方向に摺動移動するので、この摺動移動により内蔵された噴出弁が開弁され、内部の剤を噴出ノズル７から吐出させることができる。
【００５７】
また、スパウト部材５０を洗浄する場合は、前記実施例と同様に突出片２４を径方向に押圧し、この突出片２４と長孔３４との係合を解除してから行えば良い。
【００５８】
さらに、再度組み立てる場合は、突出片２４を長孔３４の延長上に配置して両者の位置決めを行い、その状態から突出片２４をジョイント部材６内に押し込めば良い。これにより、容易に組立てることができる。
【００５９】
このように、本実施例においても、組立分解が容易であり、部品点数の削減にも寄与し、さらに剤を噴出させたときに軸部が傾斜したりすることがない。
【００６０】
【発明の効果】
以上、説明したように、本発明の請求項１に係る剤塗布装置によれば、スパウト部材がジョイント部材に案内されて軸方向に摺動移動するので、剤を吐出させたときに軸部が傾斜したりすることがない。また、スパウト部材をジョイント部材に着脱自在に装着しているので、使用過程における洗浄性が向上し、装置の点検、保守等を容易に行ない得て、作業性向上を実現できる。さらに、スパウト部材をジョイント部材に装着した際に、これらの間に室が形成されるので、剤が漏れることが無い。さらに、シール部材も不用であるから部品点数を削減できる。
【００６１】
また、本発明によれば、スパウト部材をジョイント部材に装着した際に、スパウト部材に形成した突出片がジョイント部材の長孔内に移動可能に収容され、突出片は長孔の端部でそれ以上の移動が規制されるので、スパウト部材のジョイント部材からの抜けを防止することができる。
【００６２】
さらに、本発明の請求項２に係る剤塗布装置によれば、スパウト部材をジョイント部材に装着した際に、ガイド溝内に案内板が収容されるので、スパウト部材の円周方向への回転を防止することができる。
【００６３】
また、本発明の請求項３に係る剤塗布装置によれば、ジョイント部材の環状凹所内にスパウト部材が収容されるので、剤の漏れ出しが生じない。
さらに、本発明の請求項６に係る剤塗布装置によれば、剤塗布装置が個々の部品に分解できることに加えて組み立ても容易であるので、使用過程における洗浄性が向上し、装置の点検、保守等を容易に行ない得て、作業性向上を実現できる。また、各構成要素を組み立てた際に噴出ノズルの周囲に室が画成され、剤の漏れ出しが無い。さらに、個々の部品点数が少なくて済むこと、一体的に形成され得ること、及びシール部材も不用であることから、部品点数の削減にも寄与する。
【００６４】
さらに、使用時には、櫛部組立体がジョイント部材に摺動状態で案内されて移動するので、使用時に櫛部組立体が不用意に傾斜することがなく、安定した姿勢を維持して使用することができる。
【図面の簡単な説明】
【図１】図１は本発明の一実施例に係る剤塗布装置が装着されたエアゾール容器の斜視図である。
【図２】図２は図１に示したエアゾール容器の断面図である。
【図３】図３は同実施例による櫛体と基台との組み立て状態を一部破断して示す分解断面図である。
【図４】図４は同実施例によるスパウト部材の斜視図である。
【図５】図５は図４に示したスパウト部材の底面図である。
【図６】図６は同実施例によるジョイント部材の斜視図である。
【図７】図７（ａ）は同実施例の作用を示すもので、剤を吐出する前の状態を示すエアゾール容器の正面図、図７（ｂ）は剤を吐出するときの状態を示すエアゾール容器の正面図である。
【図８】図８は本発明の他の実施例を示す要部断面図である。
【符号の説明】
１        エアゾール容器
１ａ      頭部
３        櫛体
４        基台
５        スパウト部材
６        ジョイント部材
７        噴出ノズル
１７      取付け部
２０      外壁環
２１      内壁環
２２      天板
２２ａ    供給通路
２４      突出片
２６      ガイド溝
２９      内環
３０      外環
３１      底面
３２      環状凹所
３４      長孔
４０      櫛部組立体
５０      スパウト部材
５１      天板
５３      ノズル
５５      通路
５６      小円筒部
５７      供給通路
【図１】
0003540458.tif 000002
【図２】
0003540458.tif 000003
【図３】
0003540458.tif 000004
【図４】
0003540458.tif 000005
【図５】
0003540458.tif 000006
【図６】
0003540458.tif 000007
【図７】
0003540458.tif 000008
【図８】
0003540458.tif 000009